(57)【要約】【課題】操作手段の操作に不慣れなユーザでも操作方法を短時間で習得できる映像機器を提供する。【解決手段】機器の状態に対して無効なキーがリモコン８において連続して所定回数操作されると、信号処理部３がＯＳＤデータを生成して生成されたＯＳＤデータに基づくアナログ映像信号をテレビ２００に出力し、機器の状態に対して有効なキーについてその機能を説明する操作ガイドがテレビ２００に表示される。【選択図】図１
2009049803.tif 000002
【特許請求の範囲】
【請求項１】
機器の状態に対して無効な操作が操作手段において所定回数されると、前記機器の状態に対して有効な前記操作手段が有する操作子についてその機能を説明するための映像信号または音声信号を出力する信号出力手段を備えたことを特徴とする映像機器。
【請求項２】
機器の状態に対して無効な操作が前記操作手段において連続して複数回されると、前記信号出力手段が前記映像信号または前記音声信号を出力することを特徴とする請求項１に記載の映像機器。
【請求項３】
前記信号出力手段が前記映像信号または前記音声信号を出力後、前記機器の状態に対して有効な操作が前記操作手段においてされると前記信号出力手段が前記映像信号または前記音声信号を出力することが第二の所定回数繰り返されることを特徴とする請求項１または請求項２に記載の映像機器。
【請求項４】
前記第二の所定回数は前記操作手段により変更可能であることを特徴とする請求項３に記載の映像機器。
【請求項５】
前記操作手段はリモコンであり、前記機器の状態に対して有効な前記操作手段が有する操作子に少なくとも一つのカラーキーが含まれることを特徴とする請求項１〜請求項４のいずれかに記載の映像機器。
【発明の詳細な説明】
【技術分野】
【０００１】
本発明は、映像機器に関するものである。
【背景技術】
【０００２】
近年、ＤＶＤレコーダ、ＤＶＤプレーヤ、薄型テレビ等、様々な映像機器においては多機能化が進み、それにつれ機器を操作するためのリモコンの操作キー数も増えている。これにより、ユーザにとってリモコンの操作方法を習得することが容易ではなくなる。
【０００３】
そこで、例えば特許文献１には、リモコンにおいて無効なキー操作がされると、リモコンに設けられた振動モータが駆動されリモコンが振動し、ユーザが無効な操作であることを認識でき、リモコン操作の習得が容易となるとしたリモコンが開示されている。
【特許文献１】特開２００２−１３５８６５号公報
【発明の開示】
【発明が解決しようとする課題】
【０００４】
しかし、上記特許文献１のリモコンでは、リモコン操作に不慣れなユーザにとっては、誤操作をした場合に誤操作であることが認識できるだけで、どのキーが有効でそのキーがどんな機能をもつのかは分からないので、操作を習得するまでに時間がかかるといった問題点があった。
【０００５】
上記問題点を鑑み、本発明は、操作手段の操作に不慣れなユーザでも操作方法を短時間で習得できる映像機器を提供することを目的とする。
【課題を解決するための手段】
【０００６】
上記目的を達成するために本発明の映像機器は、機器の状態に対して無効な操作が操作手段において所定回数されると、前記機器の状態に対して有効な前記操作手段が有する操作子についてその機能を説明するための映像信号または音声信号を出力する信号出力手段を備えたことを特徴としている。
【０００７】
このような構成によれば、ある機器の状態に対して操作に不慣れなユーザが無効な操作を所定回数行うと、どの操作子が有効でありその操作子がどんな機能を有するかをユーザが映像や音声で確認でき、操作方法を短時間で習得できる。
【０００８】
また、本発明の映像機器は、上記構成において、機器の状態に対して無効な操作が前記操作手段において連続して複数回されると、前記信号出力手段が前記映像信号または前記音声信号を出力する構成とすることが望ましい。
【０００９】
これにより、操作に慣れているユーザが誤って一度無効な操作をした場合でも映像が表示されたり音声が発生したりすることがなく、そのユーザにとっての煩わしさがなくなる。
【００１０】
また、本発明の映像機器は、上記構成において、前記信号出力手段が前記映像信号または前記音声信号を出力後、前記機器の状態に対して有効な操作が前記操作手段においてされると前記信号出力手段が前記映像信号または前記音声信号を出力することが第二の所定回数繰り返される構成としてもよい。
【００１１】
このような構成によれば、無効な操作による映像や音声によるガイドがなされた後も、第二の所定回数だけガイドが繰り返しなされるので、一度のガイドでは操作方法を習得できないユーザでも確実に習得できる。
【００１２】
また、上記構成において、前記第二の所定回数は前記操作手段により変更可能であるようにしてもよい。これにより、ガイドを多く確認したいユーザにも、ガイドをあまり確認しなくてもよいというユーザにも適応できる。
【００１３】
また、本発明の映像機器は、上記構成において、前記操作手段はリモコンであり、前記機器の状態に対して有効な前記操作手段が有する操作子に少なくとも一つのカラーキーが含まれるようにしてもよい。
【００１４】
このような構成によれば、リモコンを見ただけでは機能が分からないカラーキーの機能をユーザが確認できる。
【発明の効果】
【００１５】
本発明の映像機器によれば、操作手段の操作に不慣れなユーザでも操作方法を短時間で習得できる。
【発明を実施するための最良の形態】
【００１６】
以下、本発明の実施形態について図面を参照して説明する。ここでは、映像機器としてＤＶＤレコーダを一例として説明する。
【００１７】
図１に、本発明に係るＤＶＤレコーダの概略構成図を示す。本発明に係るＤＶＤレコーダ１００は、デジタル放送受信対応となっており、チューナ部２と、信号処理部３と、制御部４と、ＤＶＤ記録再生部５と、記憶部６と、リモコン受信部７と、備えている。チューナ部２にはアンテナ１が接続され、信号処理部３にはテレビ２００が接続される。
【００１８】
アンテナ１は、デジタル放送の放送電波を受信し高周波信号をチューナ部２に出力する。チューナ部２は、アンテナ１から入力された高周波信号から所望の周波数の信号を選局し、選局された信号を中間周波数信号に周波数変換し、中間周波数信号をデジタル復調してトランスポートストリームを取り出し信号処理部３に出力する。
【００１９】
信号処理部３は、トランスポートストリームから映像データおよび音声データを分離し、分離された映像データおよび音声データをそれぞれデコードし、デコードされた映像データおよび音声データをそれぞれアナログ信号に変換し、アナログ映像信号およびアナログ音声信号をテレビ２００に出力する。
【００２０】
また、信号処理部３は、トランスポートストリームからデータ放送データを分離し制御部４に出力し、制御部４がデータ放送データを取得する。また、取得されたデータ放送データに基づき信号処理部３はデータ放送画面データを生成し、生成されたデータ放送画面データおよび上記デコードされた映像データを合成して合成映像データを生成し、生成された合成映像データをアナログ映像信号に変換してテレビ２００に出力する。
【００２１】
また、信号処理部３は、ＯＳＤ（Ｏｎ  Ｓｃｒｅｅｎ  Ｄｉｓｐｌａｙ）データを生成し、生成されたＯＤＳデータを上記デコードされた映像データと合成して合成映像データを生成し、生成された合成映像データをアナログ映像信号に変換してテレビ２００に出力する。また、信号処理部３は、ＯＳＤデータを単独でアナログ映像信号に変換してテレビ２００に出力もする。
【００２２】
また、ＤＶＤへの放送録画時は、信号処理部３は、上記デコードされた映像データおよび音声データをそれぞれＤＶＤ記録用にエンコードし、エンコードされた映像データおよび音声データからストリームデータを生成し、ストリームデータを制御部４を介してＤＶＤ記録再生部５に出力する。そして、ＤＶＤ記録再生部５は、ストリームデータをＤＶＤに記録させる。
【００２３】
また、ＤＶＤ記録再生部５は、ＤＶＤからストリームデータを再生して制御部４を介して信号処理部３に出力する。そして、信号処理部３は、ストリームデータから映像データおよび音声データを分離し、分離された映像データおよび音声データをそれぞれデコードし、デコードされた映像データおよび音声データをそれぞれアナログ信号に変換し、アナログ映像信号およびアナログ音声信号をテレビ２００に出力する。また、信号処理部３は、ＯＳＤデータとＤＶＤのデコードされた映像データとを合成して合成映像データを生成し、生成された合成映像データをアナログ映像信号に変換してテレビ２００に出力もする。
【００２４】
記憶部６は後述するテーブル等が記憶される。また、リモコン受信部７は、操作されたリモコン８から赤外線信号を受信し操作に対応するコード信号を制御部４に出力する。
【００２５】
テレビ２００は、信号処理部３から入力されたアナログ映像信号に基づき映像を表示し、信号処理部３から入力されたアナログ音声信号に基づき音声を発する。
【００２６】
次に、本発明に係るＤＶＤレコーダにおける操作ガイド出力動作について図２のフローチャートを用いて説明する。
【００２７】
ここで、予め記憶部６には、図３に示すような、機器の各状態Ｓ1〜Ｓnと操作ガイド出力残り回数Ｂ1〜Ｂnとの対応関係を示すテーブルが保持され、その他、連続で無効キーが操作された回数Ａおよび操作ガイド出力中か否かを示すフラグＣ（１：出力中、０：非出力中）も保持される。なお、Ｂ1〜Ｂn、ＡおよびＣいずれも初期値は０である。
【００２８】
リモコン８においてキー操作がされると、図２のフローチャートが開始され、まずステップＳ１で、制御部４は操作されたキーが無効なキーであるか否かを判定し、もし無効なキーであれば（ステップＳ１のＹ）、ステップＳ２に進む。
【００２９】
ステップＳ２で、制御部４は、記憶部６に保持された連続で無効キーが操作された回数Ａを１だけ増加させる。
【００３０】
そして、ステップＳ３で、制御部４は、Ａが５以上であるか否か判定し、Ａが５より小さければ（ステップＳ３のＮ）、そのままフローは終了する。
【００３１】
一方、ステップＳ３でＡが５以上であれば（ステップＳ３のＹ）、連続で無効なキーが５回以上操作されたことになり、ユーザは現在の機器の状態について操作が不慣れであり操作ガイド出力が必要であると判断され、ステップＳ４に進む。
【００３２】
ステップＳ４で、制御部４は、記憶部６に保持されたテーブルにおいて、現在の機器の状態Ｓｉに対応する操作ガイド出力残り回数Ｂｉを３とする。そして、ステップＳ８で、制御部４は、記憶部６に保持された操作ガイド出力中か否かを示すフラグＣを１とし、ステップＳ９に進む。ステップＳ９で、制御部４の指示により信号処理部３がＯＳＤデータを生成し、生成されたＯＳＤデータをアナログ映像信号に変換してテレビ２００に出力し、テレビ２００に操作ガイドが表示され、フローが終了する。
【００３３】
操作ガイドは、リモコン８のキー操作面を表す画像において現在の機器の状態に対して有効なキーについてキーの機能が説明された画像である。図４に、機器の状態がＤＶＤビデオ再生である場合の操作ガイド表示例を示す。図４において、リモコン８のキー操作面を表す画像の中に４色（青、赤、緑、黄）のカラーキー４００が表示され、青のカラーキーは３０秒場面を戻す機能を有すること、赤のカラーキーは３０秒場面をスキップする機能を有すること、黄のカラーキーはＤＶＤメニューを表示させる機能を有することが説明されている。このようなカラーキーは、主にデータ放送画面の操作に用いられるもので、データ放送画面にカラーキーの機能が表示されるため、リモコン８においては図４のようにカラーキーの傍に各色の表示がされているのみであり、リモコン８をユーザが見ただけではカラーキーがどのような機能を有するのか分からない。しかし、図４のような表示による説明により、ユーザはこのようなカラーキーの機能が分かり、カラーキーの操作を習得できる。
【００３４】
また、ステップＳ１で、操作されたキーが有効なキーである場合は（ステップＳ１のＮ）、ステップＳ５に進み、制御部４は、記憶部６に保持された連続で無効キーが操作された回数Ａを０に初期化する。
【００３５】
そして、ステップＳ６に進み、制御部４は、記憶部６に保持されたテーブルおよびフラグＣを参照し、現在の機器の状態Ｓｉに対応する操作ガイド出力残り回数Ｂｉが０より大きく、かつフラグＣが０であるか否かを判定する。その結果、現在の機器の状態Ｓｉに対応する操作ガイド出力残り回数Ｂｉが０より大きく、かつフラグＣが０であれば（ステップＳ６のＹ）、操作ガイド出力が必要であると判断され、ステップＳ７に進む。
【００３６】
ステップＳ７で、制御部４は、記憶部６に保持されたテーブルにおける操作ガイド出力残り回数Ｂｉを１だけ減少させる。そして、ステップＳ８でフラグＣが１とされ、ステップＳ９で操作ガイドがテレビ２００に表示され、フローが終了する。
【００３７】
また、ステップＳ６で、現在の機器の状態Ｓｉに対応する操作ガイド出力残り回数Ｂｉが０より大きく、かつフラグＣが０でなければ（ステップＳ６のＮ）、ステップＳ１０に進む。ステップＳ１０で、制御部４は、記憶部６に保持されたフラグＣを０とする。そして、ステップＳ１１で、キー操作に応じた動作が行われ、フローが終了する。
【００３８】
機器がある状態のときに、その状態でのリモコン操作に不慣れなユーザが無効なキーを連続して操作するとステップＳ２によりＡの値が増加してゆき、５回連続して無効なキーが操作されるとステップＳ３の判定によりステップＳ４、Ｓ８、Ｓ９と進み、テレビ２００に機器の状態に応じた操作ガイドが表示される。これにより、操作に不慣れなユーザでも操作ガイドを確認することで短時間に操作方法を習得できる。
【００３９】
また、上記操作ガイド表示の後、再び機器が同様の状態となり、有効なキーが操作されたとき（ステップＳ１のＮ）、ステップＳ５、Ｓ６と進み、ここでＢｉはステップＳ４で予め３となっており０より大きく、かつＣ＝０であるから（ステップＳ６のＹ）、ステップＳ７に進み、Ｂｉが３から２へ減少され、ステップＳ８、Ｓ９と進み、テレビ２００に操作ガイドが表示される。ここで、ユーザが有効なキーを再び操作すれば（ステップＳ１のＮ）、ステップＳ５、Ｓ６と進み、ここではＢｉは２で０より大きいが、ＣはステップＳ８で１になっているので（ステップＳ６のＮ）、ステップＳ１０でＣが０にされ、ステップＳ１１でキー操作に応じた動作が行われる。その後、機器が同様の状態となり有効なキーが操作されるたびにＢｉの値が１ずつ減少されて操作ガイドが表示され、Ｂｉが０となって操作ガイドが表示された後、機器が同様の状態となり有効なキーが操作されると（ステップＳ１のＮ）、ステップＳ５、Ｓ６、Ｓ１０、Ｓ１１と進み、操作ガイドは表示されなくなる。つまり、無効なキーの連続操作により操作ガイドが表示された後、機器が同様の状態となり有効なキーが操作されると計３回は操作ガイドが表示されるので、一度の操作ガイド表示だけでは操作方法を習得できないユーザでも確実に操作方法を習得可能となる。
【００４０】
なお、ステップＳ３において、連続で無効キーが操作された回数Ａとの比較に用いられる所定値を５としているが、これは一例であり１以上の値であればよい。ただ、この所定値を１とすると、操作に慣れているユーザが誤って無効なキーを一度操作しただけでも操作ガイドが表示されてしまい、ユーザにとっては煩わしいので所定値としては２以上が望ましい。
【００４１】
また、ステップＳ４において、Ｂｉを所定値である３としているが、これも一例であり１以上であればよい。また、セットアップ画面にこの所定値の設定項目を設け、そこからリモコン操作により所定値を変更できるようにしてもよい。これにより、操作ガイドを多く確認したいというユーザにも、あまり確認しなくてもよいというユーザにも適応できる。
【００４２】
また、ステップＳ９において、操作ガイドを表示させる代わりに、信号処理部３が音声信号をテレビ２００に出力し、機器の状態に対して有効なキーについてその機能を説明する音声がテレビ２００から発生するようにしてもよい。
【００４３】
また、本発明は、ＤＶＤレコーダに限らず、ＤＶＤプレーヤ、Ｂｌｕ−ｒａｙ  Ｄｉｓｋ（登録商標）レコーダ、薄型テレビ等、あらゆる映像機器に適用可能である。
【図面の簡単な説明】
【００４４】
【図１】は、本発明に係るＤＶＤレコーダの概略構成を示す図である。
【図２】は、本発明に係るＤＶＤレコーダにおける操作ガイド出力動作に関するフローチャートである。
【図３】は、操作ガイド出力動作に用いられるテーブルを示す図である。
【図４】は、操作ガイド表示例を示す図である。
【符号の説明】
【００４５】
１    アンテナ
２    チューナ部
３    信号処理部
４    制御部
５    ＤＶＤ記録再生部
６    記憶部
７    リモコン受信部
８    リモコン
１００    ＤＶＤレコーダ
２００    テレビ
【図１】
2009049803.tif 000003
【図２】
2009049803.tif 000004
【図３】
2009049803.tif 000005
【図４】
2009049803.tif 000006